(57)【要約】  キャリアアグリゲーションに関してユーザ装置がサポートする特定のバンドコンビネーション、及び前記特定のバンドコンビネーションに含まれる各周波数バンドの各コンポーネントキャリアに適用され且つ前記ユーザ装置によりサポートされる最大Ｍｕｌｔｉｐｌｅ−ｉｎｐｕｔ  ａｎｄ  ｍｕｌｔｉｐｌｅ−ｏｕｔｐｕｔ（ＭＩＭＯ）レイヤ数の複数の組み合わせを示す情報を基地局に送信する送信部と、前記特定のバンドコンビネーションに含まれる各周波数バンドの各コンポーネントキャリアに前記基地局が適用する最大ＭＩＭＯレイヤ数を示す信号を前記基地局から受信しない場合に、前記特定のバンドコンビネーションに含まれる各周波数バンドの各コンポーネントキャリアに前記ユーザ装置が適用する最大ＭＩＭＯレイヤ数として、デフォルト値を適用する制御部と、を備えるユーザ装置。
2020174549.tif 000002
【特許請求の範囲】
【請求項１】
キャリアアグリゲーションに関してユーザ装置がサポートする特定のバンドコンビネーション、及び前記特定のバンドコンビネーションに含まれる各周波数バンドの各コンポーネントキャリアに適用され且つ前記ユーザ装置によりサポートされる最大Ｍｕｌｔｉｐｌｅ−ｉｎｐｕｔ  ａｎｄ  ｍｕｌｔｉｐｌｅ−ｏｕｔｐｕｔ（ＭＩＭＯ）レイヤ数の複数の組み合わせを示す情報を基地局に送信する送信部と、
前記特定のバンドコンビネーションに含まれる各周波数バンドの各コンポーネントキャリアに前記基地局が適用する最大ＭＩＭＯレイヤ数を示す信号を前記基地局から受信しない場合に、前記特定のバンドコンビネーションに含まれる各周波数バンドの各コンポーネントキャリアに前記ユーザ装置が適用する最大ＭＩＭＯレイヤ数として、デフォルト値を適用する制御部と、
を備えるユーザ装置。
【請求項２】
前記制御部は、前記特定のバンドコンビネーションに含まれる各周波数バンドの各コンポーネントキャリアに前記ユーザ装置が適用する前記最大ＭＩＭＯレイヤ数のデフォルト値として、前記最大ＭＩＭＯレイヤ数の複数の組み合わせにおいて、各周波数バンドの当該コンポーネントキャリアに対して設定されている複数の最大ＭＩＭＯレイヤ数のうち、最少のＭＩＭＯレイヤ数を設定する、
請求項１に記載のユーザ装置。
【請求項３】
前記制御部は、前記特定のバンドコンビネーションに含まれる各周波数バンドの各コンポーネントキャリアに前記ユーザ装置が適用する前記最大ＭＩＭＯレイヤ数のデフォルト値として、１レイヤを設定する、
請求項１に記載のユーザ装置。
【請求項４】
前記制御部は、前記特定のバンドコンビネーションに含まれる各周波数バンドの各コンポーネントキャリアに前記基地局が適用する最大ＭＩＭＯレイヤ数を示す信号を基地局から所定時間受信しなかった場合に、前記特定のバンドコンビネーションに含まれる各周波数バンドの各コンポーネントキャリアに前記ユーザ装置が適用する最大ＭＩＭＯレイヤ数として、デフォルト値を適用する
請求項１に記載のユーザ装置。
【請求項５】
キャリアアグリゲーションに関してユーザ装置がサポートする特定のバンドコンビネーション、及び前記特定のバンドコンビネーションに含まれる各周波数バンドの各コンポーネントキャリアに適用され且つ前記ユーザ装置によりサポートされる最大Ｍｕｌｔｉｐｌｅ−ｉｎｐｕｔ  ａｎｄ  ｍｕｌｔｉｐｌｅ−ｏｕｔｐｕｔ（ＭＩＭＯ）レイヤ数の複数の組み合わせを示す情報を基地局に送信するステップと、
前記特定のバンドコンビネーションに含まれる各周波数バンドの各コンポーネントキャリアに前記基地局が適用する最大ＭＩＭＯレイヤ数を示す信号を前記基地局から受信しない場合に、前記特定のバンドコンビネーションに含まれる各周波数バンドの各コンポーネントキャリアに前記ユーザ装置が適用する最大ＭＩＭＯレイヤ数として、デフォルト値を適用するステップと、
を備える、ユーザ装置による通信方法。
【発明の詳細な説明】
【技術分野】
【０００１】
本発明は、無線通信システムにおけるユーザ装置及び通信方法に関する。
【背景技術】
【０００２】
キャリアアグリゲーション（ＣＡ）をサポートするユーザ装置は、通常、ＣＡに適用される周波数帯域の組み合わせ（ＣＡバンドコンビネーション）として、複数のＣＡバンドコンビネーションをサポートしている。ＣＡに関する特定のバンドコンビネーションに含まれる複数のコンポーネントキャリア（ＣＣ）に対して、ユーザ装置が異なる複数のＭＩＭＯレイヤ数をサポートする場合があることが知られている。例えば、非特許文献１には、ユーザ装置が、基地局に対して、ＣＡに関する以下のバンドコンビネーションと、ユーザ装置のサポートするＭＩＭＯレイヤ数の組み合わせを通知することが記載されている。【０００３】
バンドコンビネーション：周波数帯域Ａの１ＣＣ（ＣＣ０）＋周波数帯域Ｂの１ＣＣ（ＣＣ１）＋周波数帯域Ｃｎｏ１ＣＣ（ＣＣ２）。【０００４】
ＭＩＭＯレイヤ数の組み合わせ１：ＣＣ０で４レイヤ＋ＣＣ１で４レイヤ＋ＣＣ２で２レイヤ。【０００５】
ＭＩＭＯレイヤ数の組み合わせ２：ＣＣ０で４レイヤ＋ＣＣ１で２レイヤ＋ＣＣ２で４レイヤ。【０００６】
ＭＩＭＯレイヤ数の組み合わせ３：ＣＣ０で２レイヤ＋ＣＣ１で４レイヤ＋ＣＣ２で４レイヤ。【０００７】
この場合において、基地局が、例えば、ＭＩＭＯレイヤ数の組み合わせ１を設定しようとする場合において、基地局が設定するＭＩＭＯレイヤ数の組み合わせを明示的にユーザ装置に通知しない場合には、ユーザ装置は、ＣＣ０、ＣＣ１、及びＣＣ２のうちのどのＣＣに対して２レイヤを適用すればよいか、決定することができない。この課題に対する解決方法として、基地局からユーザ装置に対して、基地局において各コンポーネントキャリアに適用する最大ＭＩＭＯレイヤ数を通知することについて３ＧＰＰのワーキンググループでの合意が得られ、３ＧＰＰの標準規格に反映されている。
【先行技術文献】
【非特許文献】
【０００８】
【非特許文献１】３ＧＰＰ  ＴＳＧ−ＲＡＮ  ＷＧ２  ＃１０４，Ｒ２−１８１９０８６，Ｓｐｏｋａｎｅ，ＵＳＡ，１２−１６  Ｎｏｖｅｍｂｅｒ，２０１８
【非特許文献２】３ＧＰＰ  ＴＳＧ−ＲＡＮ  ＷＧ２  Ｍｅｅｔｉｎｇ  ＃１０５，Ｒ２−１９０１９９２，Ａｔｈｅｎｓ，Ｇｒｅｅｃｅ，２５  Ｆｅｂｒｕａｒｙ−１  Ｍａｒｃｈ，２０１９
【発明の概要】
【発明が解決しようとする課題】
【０００９】
基地局からユーザ装置に対して、各コンポーネントキャリアに適用する最大ＭＩＭＯレイヤ数を通知することが前提となっている場合において、基地局がユーザ装置に対して、各コンポーネントキャリアに適用する最大ＭＩＭＯレイヤ数を通知しない場合、ユーザ装置が各ＣＣに適用する最大ＭＩＭＯレイヤ数をどのように設定するかについては、現状では、仕様には規定されていない。基地局がユーザ装置に対して、各コンポーネントキャリアに適用する最大ＭＩＭＯレイヤ数を通知しない場合において、ユーザ装置が適切に動作できるようにする技術が必要とされている。
【課題を解決するための手段】
【００１０】
本発明の一態様によれば、キャリアアグリゲーションに関してユーザ装置がサポートする特定のバンドコンビネーション、及び前記特定のバンドコンビネーションに含まれる各周波数バンドの各コンポーネントキャリアに適用され且つ前記ユーザ装置によりサポートされる最大Ｍｕｌｔｉｐｌｅ−ｉｎｐｕｔ  ａｎｄ  ｍｕｌｔｉｐｌｅ−ｏｕｔｐｕｔ（ＭＩＭＯ）レイヤ数の複数の組み合わせを示す情報を基地局に送信する送信部と、前記特定のバンドコンビネーションに含まれる各周波数バンドの各コンポーネントキャリアに前記基地局が適用する最大ＭＩＭＯレイヤ数を示す信号を前記基地局から受信しない場合に、前記特定のバンドコンビネーションに含まれる各周波数バンドの各コンポーネントキャリアに前記ユーザ装置が適用する最大ＭＩＭＯレイヤ数として、デフォルト値を適用する制御部と、を備えるユーザ装置、が提供される。
【発明の効果】
【００１１】
実施例によれば、基地局がユーザ装置に対して、各コンポーネントキャリアに適用する最大ＭＩＭＯレイヤ数を通知しない場合であっても、ユーザ装置が適切に動作することを可能とする技術が提供される。
【図面の簡単な説明】
【００１２】
【図１】本実施の形態における通信システムの構成図である。
【図２】動作例１を示すシーケンス図である。
【図３】ユーザ装置の機能構成の一例を示す図である。
【図４】基地局の機能構成の一例を示す図である。
【図５】ユーザ装置及び基地局のハードウェア構成の一例を示す図である。
【発明を実施するための形態】
【００１３】
以下、図面を参照して本発明の実施の形態を説明する。なお、以下で説明する実施の形態は一例に過ぎず、本発明が適用される実施の形態は、以下の実施の形態には限定されない。
【００１４】
以下の実施の形態における無線通信システムは基本的にＮｅｗ  Ｒａｄｉｏ（ＮＲ）に準拠することを想定しているが、それは一例であり、本実施の形態における無線通信システムはその一部又は全部において、ＮＲ以外の無線通信システム（例：ＬＴＥ、ＬＴＥ−Ａ）に準拠していてもよい。
【００１５】
（システム全体構成）
図１に本実施の形態に係る無線通信システムの構成図を示す。本実施の形態に係る無線通信システムは、図１に示すように、ユーザ装置１０及び基地局２０を含む。図１には、ユーザ装置１０及び基地局２０が１つずつ示されているが、これは例であり、それぞれ複数であってもよい。
【００１６】
ユーザ装置１０は、スマートフォン、携帯電話機、タブレット、ウェアラブル端末、Ｍ２Ｍ（Ｍａｃｈｉｎｅ−ｔｏ−Ｍａｃｈｉｎｅ）用通信モジュール等の無線通信機能を備えた通信装置であり、基地局２０に無線接続し、無線通信システムにより提供される各種通信サービスを利用する。基地局２０は、１つ以上のセルを提供し、ユーザ装置１０と無線通信する通信装置である。
【００１７】
本実施の形態において、複信（Ｄｕｐｌｅｘ）方式は、ＴＤＤ（Ｔｉｍｅ  Ｄｉｖｉｓｉｏｎ  Ｄｕｐｌｅｘ）方式でもよいし、ＦＤＤ（Ｆｒｅｑｕｅｎｃｙ  Ｄｉｖｉｓｉｏｎ  Ｄｕｐｌｅｘ）方式でもよい。
【００１８】
非特許文献１に記載されているように、キャリアアグルゲーション（ＣＡ）が設定される場合において、現状では、基地局２０からユーザ装置１０に対して、各コンポーネントキャリア（ＣＣ）のＰｈｙｓｉｃａｌ  Ｄｏｗｎｌｉｎｋ  Ｓｈａｒｅｄ  Ｃｈａｎｎｅｌ（ＰＤＳＣＨ）／Ｐｈｙｓｉｃａｌ  Ｕｐｌｉｎｋ  Ｓｈａｒｅｄ  Ｃｈａｎｎｅｌ（ＰＵＳＣＨ）の最大のＭｕｌｔｉｐｌｅ−ｉｎｐｕｔ  ａｎｄ  ｍｕｌｔｉｐｌｅ  ｏｕｔｐｕｔ（ＭＩＭＯ）レイヤ数についての明示的な通知は行われていない。
【００１９】
ＣＡが設定される場合において、基地局２０が、ＣＡに関するバンドコンビネーション及びユーザ装置１０のサポートするＭＩＭＯレイヤ数の組み合わせの通知をユーザ装置１０から受信した後、基地局２０が、各ＣＣに対して設定するＭＩＭＯレイヤ数をユーザ装置１０に通知しない場合、ユーザ装置１０が基地局２０の設定するＭＩＭＯレイヤ数に対応する設定を適切に行えない場合があることが指摘されている。
【００２０】
具体例として、以下のような場合が考えられる。まず、ユーザ装置１０は、基地局２０に対して、ＣＡに関する以下のバンドコンビネーションと、ユーザ装置１０のサポートするＭＩＭＯレイヤ数の組み合わせを通知する。
【００２１】
バンドコンビネーション：周波数帯域Ａの１ＣＣ（ＣＣ０）＋周波数帯域Ｂの１ＣＣ（ＣＣ１）＋周波数帯域Ｃｎｏ１ＣＣ（ＣＣ２）。
【００２２】
ＭＩＭＯレイヤ数の組み合わせ１：ＣＣ０で４レイヤ＋ＣＣ１で４レイヤ＋ＣＣ２で２レイヤ。
【００２３】
ＭＩＭＯレイヤ数の組み合わせ２：ＣＣ０で４レイヤ＋ＣＣ１で２レイヤ＋ＣＣ２で４レイヤ。
【００２４】
ＭＩＭＯレイヤ数の組み合わせ３：ＣＣ０で２レイヤ＋ＣＣ１で４レイヤ＋ＣＣ２で４レイヤ。
【００２５】
この場合において、基地局２０が、例えば、ＭＩＭＯレイヤ数の組み合わせ１を設定しようとする場合において、当該基地局２０が設定するＭＩＭＯレイヤ数の組み合わせを明示的にユーザ装置１０に対して通知しない場合には、ユーザ装置１０は、ＣＣ０、ＣＣ１、及びＣＣ２のうちのどのＣＣに対して２レイヤを適用すればよいか、決定することができない。
【００２６】
この課題に対する解決方法として、基地局２０からユーザ装置１０に対して、各コンポーネントキャリアに適用する最大ＭＩＭＯレイヤ数を通知することが考えられる。この解決方法については、３ＧＰＰのワーキンググループでの合意が得られ、３ＧＰＰの標準規格に反映されている。
【００２７】
（課題について）
上述の通り、基地局２０からユーザ装置１０に対して、各コンポーネントキャリアに適用する最大ＭＩＭＯレイヤ数を通知することに対して合意は得られている。しかしながら、例えば、現状では、既存の基地局２０が各コンポーネントキャリアに適用する最大ＭＩＭＯレイヤ数を通知する機能を実装しない一方で、ユーザ装置１０では各コンポーネントキャリアに適用する最大ＭＩＭＯレイヤ数の通知を受信する機能を実装している場合が有り得る。この場合、例えば、ＣＡを設定する場合において、基地局２０は各ＣＣに適用する最大ＭＩＭＯレイヤ数をシグナリングしない。このように各ＣＣに適用する最大ＭＩＭＯレイヤ数が基地局２０からユーザ装置１０にシグナリングされない場合、ユーザ装置１０が各ＣＣに適用する最大ＭＩＭＯレイヤ数をどのように設定するかについては、現状では、仕様には規定されていない。
【００２８】
上述の課題に対する解決方法として、各ＣＣに適用する最大ＭＩＭＯレイヤ数が基地局２０からユーザ装置１０にシグナリングされない場合、ユーザ装置１０では各ＣＣに適用する最大ＭＩＭＯレイヤ数として、最低４レイヤを想定し、かつそのサービングセル、すなわちＣＣについて、ユーザ装置１０によりサポートされるＰＤＳＣＨの最大のレイヤ数とするという提案が行われている（非特許文献２）。
【００２９】
しかしながら、ユーザ装置１０が全てのサービングセル、すなわち、全てのＣＣに対して、デフォルトで４レイヤのＭＩＭＯに対応することについては、ユーザ装置１０の性能の限界に近い動作となり、技術的に適切な動作であるとは言えない。ユーザ装置１０が全てのＣＣに対してデフォルトで４レイヤＭＩＭＯを設定することは、ユーザ装置１０の消費電力削減の観点からも適切であるとは言えない。
【００３０】
また、各ＣＣに適用する最大ＭＩＭＯレイヤ数として、ユーザ装置１０によりサポートされるＰＤＳＣＨの最大のレイヤ数とするという提案は、上述の課題に対する解決方法とはなっていないと考えられる。上述の課題では、基地局２０が各ＣＣに適用する最大ＭＩＭＯレイヤ数をシグナリングしないことを前提としている。従って、ユーザ装置１０によりサポートされるＰＤＳＣＨの最大のレイヤ数はこの場合は不明であり、ユーザ装置１０が適切に動作できなくなる可能性がある。
【００３１】
（解決方法１）
以下、上述の課題に対する解決方法１の例について説明する。
【００３２】
ユーザ装置１０が、ＣＡに関するある特定のバンドコンビネーションに対して、複数のサポートするＭＩＭＯレイヤ数の組み合わせを有すると仮定する。この場合において、ユーザ装置１０は、基地局２０に対して、ＣＡに関する特定のバンドコンビネーションと、ユーザ装置１０のサポートするＭＩＭＯレイヤ数の組み合わせを通知する。その後、各ＣＣに適用する最大ＭＩＭＯレイヤ数が基地局２０からユーザ装置１０にシグナリングされない場合、ユーザ装置１０は、各ＣＣについて、前述の複数のサポートするＭＩＭＯレイヤ数の組み合わせにおいて当該ＣＣに対して設定されている複数のＭＩＭＯレイヤ数のうち、最少のＭＩＭＯレイヤ数を、当該ＣＣに設定する最大ＭＩＭＯレイヤ数として設定する。
【００３３】
（動作例１）
図２を参照して、解決方法１の動作例を説明する。
【００３４】
まず、ユーザ装置１０は、基地局２０に対して、ＣＡに関する以下のバンドコンビネーションと、ユーザ装置１０のサポートするＭＩＭＯレイヤ数の組み合わせを通知する（ステップＳ１０１）。
【００３５】
バンドコンビネーション：周波数帯域Ａの１ＣＣ（ＣＣ０）＋周波数帯域Ｂの１ＣＣ（ＣＣ１）＋周波数帯域Ｃの１ＣＣ（ＣＣ２）。
【００３６】
ＭＩＭＯレイヤ数の組み合わせ１：ＣＣ０で４レイヤ＋ＣＣ１で４レイヤ＋ＣＣ２で２レイヤ。
【００３７】
ＭＩＭＯレイヤ数の組み合わせ２：ＣＣ０で４レイヤ＋ＣＣ１で２レイヤ＋ＣＣ２で４レイヤ。
【００３８】
ＭＩＭＯレイヤ数の組み合わせ３：ＣＣ０で２レイヤ＋ＣＣ１で４レイヤ＋ＣＣ２で４レイヤ。
【００３９】
これに対して、ステップＳ１０２において、基地局２０は各ＣＣに適用する最大のＭＩＭＯレイヤ数をシグナリングしない。このように基地局２０が各ＣＣに適用する最大のＭＩＭＯレイヤ数をシグナリングしない理由としては、例えば、基地局２０において、各ＣＣに適用する最大のＭＩＭＯレイヤ数をシグナリング機能を実装していないことが考えられる。
【００４０】
ユーザ装置１０は、ステップＳ１０１で通知を行った後、基地局２０からの各ＣＣに適用する最大のＭＩＭＯレイヤ数についてのシグナリングを、待機する。しかしながら、ステップＳ１０１で通知を行った後、所定時間経過した後でも基地局２０からの各ＣＣに適用する最大のＭＩＭＯレイヤ数についてのシグナリングを受信できなかったことに応答して、ユーザ装置１０は、各ＣＣに適用する最大のＭＩＭＯレイヤ数として、前述の複数のサポートするＭＩＭＯレイヤ数の組み合わせにおいて当該ＣＣに対して設定されている複数のＭＩＭＯレイヤ数のうち、最少のＭＩＭＯレイヤ数を、当該ＣＣに設定する最大ＭＩＭＯレイヤ数として設定する（ステップＳ１０３）。
【００４１】
具体的には、ＣＣ０について、ＭＩＭＯレイヤ数の組み合わせ１では４レイヤが設定されており、ＭＩＭＯレイヤ数の組み合わせ２では４レイヤが設定されており、ＭＩＭＯレイヤ数の組み合わせ３では２レイヤが設定されているため、ユーザ装置１０は、ＣＣ０について適用する最大のＭＩＭＯレイヤ数として２レイヤを設定する。ＣＣ１について、ＭＩＭＯレイヤ数の組み合わせ１では４レイヤが設定されており、ＭＩＭＯレイヤ数の組み合わせ２では２レイヤが設定されており、ＭＩＭＯレイヤ数の組み合わせ３では４レイヤが設定されているため、ユーザ装置１０は、ＣＣ１について適用する最大のＭＩＭＯレイヤ数として２レイヤを設定する。ＣＣ２について、ＭＩＭＯレイヤ数の組み合わせ１では２レイヤが設定されており、ＭＩＭＯレイヤ数の組み合わせ２では４レイヤが設定されており、ＭＩＭＯレイヤ数の組み合わせ３では４レイヤが設定されているため、ユーザ装置１０は、ＣＣ２について適用する最大のＭＩＭＯレイヤ数として２レイヤを設定する。
【００４２】
このように、解決方法１によれば、基地局２０が各ＣＣに適用する最大のＭＩＭＯレイヤ数をシグナリングしない場合において、ユーザ装置１０は、各ＣＣに対して、サポートするＭＩＭＯレイヤ数のうち、最少のＭＩＭＯレイヤ数をデフォルト値として設定することが可能となる。このため、ユーザ装置１０における電力の消費量を削減することが可能になる。なお、ユーザ装置１０が、各ＣＣに適用する最大のＭＩＭＯレイヤ数についてのシグナリングを基地局２０から受信できなかった場合の別の動作として、ＲＲＣのＲｅｃｏｎｆｉｇｕｒａｔｉｏｎ  ｆａｉｌｕｒｅであるとユーザ装置１０が判断して、ユーザ装置１０が基地局装置２０に対して再接続の処理を行う動作が規定されている。しかしながら、この動作の場合、ユーザ装置１０は再接続の処理を行うので、ユーザ装置１０と基地局２０との間の通信が一旦切断されることになる。これに対して、解決方法１によれば、ユーザ装置１０と基地局２０との間の通信が切断されることを防止することができる。
【００４３】
（解決方法２）
前述の解決方法１では、各ＣＣに適用する最大ＭＩＭＯレイヤ数が基地局２０からユーザ装置１０にシグナリングされない場合、ユーザ装置１０は、各ＣＣについて、前述の複数のサポートするＭＩＭＯレイヤ数の組み合わせにおいて当該ＣＣに対して設定されている複数のＭＩＭＯレイヤ数のうち、最少のＭＩＭＯレイヤ数を、当該ＣＣに設定する最大ＭＩＭＯレイヤ数として設定する。解決方法２では、各ＣＣに適用する最大ＭＩＭＯレイヤ数が基地局２０からユーザ装置１０にシグナリングされない場合、ユーザ装置１０は、各ＣＣに設定する最大ＭＩＭＯレイヤ数を１レイヤとする。解決方法２の、動作例は、図２に示した動作例と同様となる。特に、ステップＳ１０３において、ユーザ装置１０は、各ＣＣに設定する最大ＭＩＭＯレイヤ数を１レイヤに設定する。
【００４４】
このように、変形例によれば、基地局２０が各ＣＣに適用する最大のＭＩＭＯレイヤ数をシグナリングしない場合において、ユーザ装置１０は、１レイヤを各ＣＣに設定する最大ＭＩＭＯレイヤ数のデフォルト値として設定することが可能となる。このため、電力の消費量を削減することが可能になる。また、解決方法２においても、ユーザ装置１０は、再接続の処理は行わないので、ユーザ装置１０と基地局２０との間の通信が切断されることを防止することができる。
【００４５】
（装置構成）
次に、これまでに説明した処理動作を実行するユーザ装置１０及び基地局２０の機能構成例を説明する。ユーザ装置１０及び基地局２０は、本実施の形態で説明した全ての機能を備えている。ただし、ユーザ装置１０及び基地局２０は、本実施の形態で説明した全ての機能のうちの一部のみの機能を備えてもよい。
【００４６】
＜ユーザ装置＞
図４は、ユーザ装置１０の機能構成の一例を示す図である。図４に示すように、ユーザ装置１０は、送信部１１０と、受信部１２０と、制御部１３０と、を有する。図４に示す機能構成は一例に過ぎない。本実施の形態に係る動作を実行できるのであれば、機能区分及び機能部の名称はどのようなものでもよい。
【００４７】
送信部１１０は、送信データから送信信号を作成し、当該送信信号を無線で送信する。受信部１２０は、各種の信号を無線受信し、受信した物理レイヤの信号からより上位のレイヤの信号を取得する。また、受信部１２０は受信する信号の測定を行って、受信電力等を取得する測定部を含む。
【００４８】
制御部１３０は、ユーザ装置１０の制御を行う。なお、送信に関わる制御部１３０の機能が送信部１１０に含まれ、受信に関わる制御部１３０の機能が受信部１２０に含まれてもよい。
【００４９】
ユーザ装置１０において、例えば、制御部１３０は、ユーザ装置１０のサポートするＣＡに関する１又は複数のバンドコンビネーションを記憶している。また、制御部１３０は、各バンドコンビネーションについて、ユーザ装置１０のサポートする最大ＭＩＭＯレイヤ数の組み合わせを記憶している。送信部１１０は、例えば、ユーザ装置１０のサポートするＣＡに関する特定のバンドコンビネーション及びユーザ装置１０のサポートする最大ＭＩＭＯレイヤ数の組み合わせを送信する。
【００５０】
また、例えば、送信部１１０がユーザ装置１０のサポートするＣＡに関する特定のバンドコンビネーション及びユーザ装置１０のサポートする最大ＭＩＭＯレイヤ数の組み合わせを送信した後、所定時間経過しても、受信部１２０が、各ＣＣに適用する最大のＭＩＭＯレイヤ数のシグナリングを基地局２０から受信できない場合、制御部１３０は、例えば、各ＣＣについて、前述の複数のサポートするＭＩＭＯレイヤ数の組み合わせにおいて当該ＣＣに対して設定されている複数のＭＩＭＯレイヤ数のうち、最少のＭＩＭＯレイヤ数を、当該ＣＣに設定する最大ＭＩＭＯレイヤ数として設定する。また、別の例では、制御部１３０は、各ＣＣに設定する最大ＭＩＭＯレイヤ数を１レイヤとしてもよい。
【００５１】
＜基地局２０＞
図４は、基地局２０の機能構成の一例を示す図である。図４に示されるように、基地局２０は、送信部２１０と、受信部２２０と、制御部２３０と、を有する。図４に示す機能構成は一例に過ぎない。本実施の形態に係る動作を実行できるのであれば、機能区分及び機能部の名称はどのようなものでもよい。
【００５２】
送信部２１０は、ユーザ装置１０側に送信する信号を生成し、当該信号を無線で送信する機能を含む。受信部２２０は、ユーザ装置１０から送信された各種の信号を受信し、受信した信号から、例えばより上位のレイヤの情報を取得する機能を含む。また、受信部２２０は受信する信号の測定を行って、受信電力等を取得する測定部を含む。
【００５３】
制御部２３０は、基地局２０の制御を行う。なお、送信に関わる制御部２３０の機能が送信部２１０に含まれ、受信に関わる制御部２３０の機能が受信部２２０に含まれてもよい。
【００５４】
基地局２０において、例えば、受信部２２０は、ユーザ装置１０のサポートするＣＡに関する情報を、ＵＥ  ｃａｐａｂｉｌｉｔｙとして、受信する。
【００５５】
＜ハードウェア構成＞
上記実施の形態の説明に用いたブロック図（図３〜図４）は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。機能には、判断、決定、判定、計算、算出、処理、導出、調査、探索、確認、受信、送信、出力、アクセス、解決、選択、選定、確立、比較、想定、期待、見做し、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）や送信機（transmitter）と呼称される。いずれも、上述したとおり、実現方法は特に限定されない。
【００５６】
また、例えば、本発明の一実施の形態におけるユーザ装置１０と基地局２０はいずれも、本実施の形態に係る処理を行うコンピュータとして機能してもよい。図５は、本実施の形態に係るユーザ装置１０と基地局２０のハードウェア構成の一例を示す図である。上述のユーザ装置１０と基地局２０はそれぞれ、物理的には、プロセッサ１００１、メモリ１００２、ストレージ１００３、通信装置１００４、入力装置１００５、出力装置１００６、バス１００７などを含むコンピュータ装置として構成されてもよい。
【００５７】
なお、以下の説明では、「装置」という文言は、回路、デバイス、ユニットなどに読み替えることができる。ユーザ装置１０と基地局２０のハードウェア構成は、図に示した１００１〜１００６で示される各装置を１つ又は複数含むように構成されてもよいし、一部の装置を含まずに構成されてもよい。
【００５８】
ユーザ装置１０と基地局２０における各機能は、プロセッサ１００１、メモリ１００２などのハードウェア上に所定のソフトウェア（プログラム）を読み込ませることによって、プロセッサ１００１が演算を行い、通信装置１００４による通信を制御したり、メモリ１００２及びストレージ１００３におけるデータの読み出し及び書き込みの少なくとも一方を制御したりすることによって実現される。
【００５９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４、呼処理部１０５などは、プロセッサ１００１によって実現されてもよい。
【００６０】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施の形態において説明した動作の少なくとも一部をコンピュータに実行させるプログラムが用いられる。例えば、ユーザ装置１０の制御部１３０は、メモリ１００２に格納され、プロセッサ１００１において動作する制御プログラムによって実現されてもよく、他の機能ブロックについても同様に実現されてもよい。上述の各種処理は、１つのプロセッサ１００１によって実行される旨を説明してきたが、２以上のプロセッサ１００１により同時又は逐次に実行されてもよい。プロセッサ１００１は、１以上のチップによって実装されてもよい。なお、プログラムは、電気通信回線を介してネットワークから送信されても良い。
【００６１】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つによって構成されてもよい。メモリ１００２は、レジスタ、キャッシュ、メインメモリ（主記憶装置）などと呼ばれてもよい。メモリ１００２は、本開示の一実施の形態に係る無線通信方法を実施するために実行可能なプログラム（プログラムコード）、ソフトウェアモジュールなどを保存することができる。
【００６２】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つによって構成されてもよい。ストレージ１００３は、補助記憶装置と呼ばれてもよい。上述の記憶媒体は、例えば、メモリ１００２及びストレージ１００３の少なくとも一方を含むデータベース、サーバその他の適切な媒体であってもよい。
【００６３】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送信部１１０、受信部１２０等は、通信装置１００４によって実現されてもよい。また、送信部１１０と受信部１２０とで、物理的に、または論理的に分離された実装がなされてもよい。
【００６４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００６５】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【００６６】
また、ユーザ装置１０と基地局２０はそれぞれ、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つを用いて実装されてもよい。
【００６７】
（実施の形態のまとめ）
本明細書には、少なくとも下記のユーザ装置及び通信方法が開示されている。
【００６８】
キャリアアグリゲーションに関してユーザ装置がサポートする特定のバンドコンビネーション、及び前記特定のバンドコンビネーションに含まれる各周波数バンドの各コンポーネントキャリアに適用され且つ前記ユーザ装置によりサポートされる最大Ｍｕｌｔｉｐｌｅ−ｉｎｐｕｔ  ａｎｄ  ｍｕｌｔｉｐｌｅ−ｏｕｔｐｕｔ（ＭＩＭＯ）レイヤ数の複数の組み合わせを示す情報を基地局に送信する送信部と、前記特定のバンドコンビネーションに含まれる各周波数バンドの各コンポーネントキャリアに前記基地局が適用する最大ＭＩＭＯレイヤ数を示す信号を前記基地局から受信しない場合に、前記特定のバンドコンビネーションに含まれる各周波数バンドの各コンポーネントキャリアに前記ユーザ装置が適用する最大ＭＩＭＯレイヤ数として、デフォルト値を適用する制御部と、を備えるユーザ装置。
【００６９】
上記の構成によれば、基地局が各ＣＣに適用する最大のＭＩＭＯレイヤ数をシグナリングしない場合において、ユーザ装置は、各ＣＣにユーザ装置が適用する最大ＭＩＭＯレイヤ数として、デフォルト値を設定することが可能となる。ユーザ装置が、各ＣＣに適用する最大のＭＩＭＯレイヤ数についてのシグナリングを基地局から受信できなかった場合の別の動作として、ＲＲＣのＲｅｃｏｎｆｉｇｕｒａｔｉｏｎ  ｆａｉｌｕｒｅであるとユーザ装置が判断して、ユーザ装置が基地局装置に対して再接続の処理を行う動作が規定されている。しかしながら、この動作の場合、ユーザ装置は再接続の処理を行うので、ユーザ装置と基地局との間の通信が一旦切断されることになる。これに対して、上記の構成によれば、ユーザ装置と基地局との間の通信が切断されることを防止することができる。
【００７０】
前記制御部は、前記特定のバンドコンビネーションに含まれる各周波数バンドの各コンポーネントキャリアに前記ユーザ装置が適用する前記最大ＭＩＭＯレイヤ数のデフォルト値として、前記最大ＭＩＭＯレイヤ数の複数の組み合わせにおいて、各周波数バンドの当該コンポーネントキャリアに対して設定されている複数の最大ＭＩＭＯレイヤ数のうち、最少のＭＩＭＯレイヤ数を設定してもよい。この構成によれば、基地局が各ＣＣに適用する最大のＭＩＭＯレイヤ数をシグナリングしない場合において、ユーザ装置は、各ＣＣに対して、サポートするＭＩＭＯレイヤ数のうち、最少のＭＩＭＯレイヤ数をデフォルト値として設定することが可能となる。このため、ユーザ装置における電力の消費量を削減することが可能になる。また、再接続の処理を行うことで、ユーザ装置と基地局との間の通信が切断されることを防止することができる。
【００７１】
前記制御部は、前記特定のバンドコンビネーションに含まれる各周波数バンドの各コンポーネントキャリアに前記ユーザ装置が適用する前記最大ＭＩＭＯレイヤ数のデフォルト値として、１レイヤを設定してもよい。この構成によれば、基地局が各ＣＣに適用する最大のＭＩＭＯレイヤ数をシグナリングしない場合において、ユーザ装置は、各ＣＣに対してユーザ装置が適用する前記最大ＭＩＭＯレイヤ数として１レイヤを設定することが可能となる。このため、ユーザ装置における電力の消費量を削減することが可能になる。また、再接続の処理を行うことで、ユーザ装置と基地局との間の通信が切断されることを防止することができる。
【００７２】
前記制御部は、前記特定のバンドコンビネーションに含まれる各周波数バンドの各コンポーネントキャリアに前記基地局が適用する最大ＭＩＭＯレイヤ数を示す信号を基地局から所定時間受信しなかった場合に、前記特定のバンドコンビネーションに含まれる各周波数バンドの各コンポーネントキャリアに前記ユーザ装置が適用する最大ＭＩＭＯレイヤ数として、デフォルト値を適用してもよい。この構成によれば、再接続の処理を行うことで、ユーザ装置と基地局との間の通信が切断されることを防止することができる。
【００７３】
キャリアアグリゲーションに関してユーザ装置がサポートする特定のバンドコンビネーション、及び前記特定のバンドコンビネーションに含まれる各周波数バンドの各コンポーネントキャリアに適用され且つ前記ユーザ装置によりサポートされる最大Ｍｕｌｔｉｐｌｅ−ｉｎｐｕｔ  ａｎｄ  ｍｕｌｔｉｐｌｅ−ｏｕｔｐｕｔ（ＭＩＭＯ）レイヤ数の複数の組み合わせを示す情報を基地局に送信するステップと、前記特定のバンドコンビネーションに含まれる各周波数バンドの各コンポーネントキャリアに前記基地局が適用する最大ＭＩＭＯレイヤ数を示す信号を前記基地局から受信しない場合に、前記特定のバンドコンビネーションに含まれる各周波数バンドの各コンポーネントキャリアに前記ユーザ装置が適用する最大ＭＩＭＯレイヤ数として、デフォルト値を適用するステップと、を備える、ユーザ装置による通信方法。
【００７４】
上記の構成によれば、基地局が各ＣＣに適用する最大のＭＩＭＯレイヤ数をシグナリングしない場合において、ユーザ装置は、各ＣＣにユーザ装置が適用する最大ＭＩＭＯレイヤ数として、デフォルト値を設定することが可能となる。ユーザ装置が、各ＣＣに適用する最大のＭＩＭＯレイヤ数についてのシグナリングを基地局から受信できなかった場合の別の動作として、ＲＲＣのＲｅｃｏｎｆｉｇｕｒａｔｉｏｎ  ｆａｉｌｕｒｅであるとユーザ装置が判断して、ユーザ装置が基地局装置に対して再接続の処理を行う動作が規定されている。しかしながら、この動作の場合、ユーザ装置は再接続の処理を行うので、ユーザ装置と基地局との間の通信が一旦切断されることになる。これに対して、上記の構成によれば、ユーザ装置と基地局との間の通信が切断されることを防止することができる。
【００７５】
（実施形態の補足）
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。実施の形態で述べた処理手順については、矛盾の無い限り処理の順序を入れ替えてもよい。処理説明の便宜上、ユーザ装置１０と基地局２０は機能的なブロック図を用いて説明されたが、そのような装置はハードウェアで、ソフトウェアで又はそれらの組み合わせで実現されてもよい。本発明の実施の形態に従ってユーザ装置１０が有するプロセッサにより動作するソフトウェア及び本発明の実施の形態に従って基地局２０が有するプロセッサにより動作するソフトウェアはそれぞれ、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。
【００７６】
情報の通知は、本開示において説明した態様／実施形態に限られず、他の方法を用いて行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。
【００７７】
本開示において説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、ＮＲ（new  Radio）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切なシステムを利用するシステム及びこれらに基づいて拡張された次世代システムの少なくとも一つに適用されてもよい。また、複数のシステムが組み合わされて（例えば、ＬＴＥ及びＬＴＥ−Ａの少なくとも一方と５Ｇとの組み合わせ等）適用されてもよい。
【００７８】
本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【００７９】
本開示において基地局２０によって行われるとした特定動作は、場合によってはその上位ノード（upper  node）によって行われることもある。基地局２０を有する１つ又は複数のネットワークノード（network  nodes）からなるネットワークにおいて、端末との通信のために行われる様々な動作は、基地局２０及び基地局２０以外の他のネットワークノード（例えば、ＭＭＥ又はＳ−ＧＷなどが考えられるが、これらに限られない）の少なくとも１つによって行われ得ることは明らかである。上記において基地局２０以外の他のネットワークノードが１つである場合を例示したが、複数の他のネットワークノードの組み合わせ（例えば、ＭＭＥ及びＳ−ＧＷ）であってもよい。
【００８０】
入出力された情報等は特定の場所（例えば、メモリ）に保存されてもよいし、管理テーブルを用いて管理してもよい。入出力される情報等は、上書き、更新、又は追記され得る。出力された情報等は削除されてもよい。入力された情報等は他の装置へ送信されてもよい。
【００８１】
判定は、１ビットで表される値（０か１か）によって行われてもよいし、真偽値（Boolean：true又はfalse）によって行われてもよいし、数値の比較（例えば、所定の値との比較）によって行われてもよい。
【００８２】
本開示において説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００８３】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８４】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【００８５】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８６】
なお、本開示において説明した用語及び本開示の理解に必要な用語については、同一の又は類似する意味を有する用語と置き換えてもよい。例えば、チャネル及びシンボルの少なくとも一方は信号（シグナリング）であってもよい。また、信号はメッセージであってもよい。また、コンポーネントキャリア（ＣＣ：Ｃｏｍｐｏｎｅｎｔ  Ｃａｒｒｉｅｒ）は、キャリア周波数、セル、周波数キャリアなどと呼ばれてもよい。
【００８７】
本開示において使用する「システム」及び「ネットワーク」という用語は、互換的に使用される。また、本開示において説明した情報、パラメータなどは、絶対値を用いて表されてもよいし、所定の値からの相対値を用いて表されてもよいし、対応する別の情報を用いて表されてもよい。例えば、無線リソースはインデックスによって指示されるものであってもよい。
【００８８】
上述したパラメータに使用する名称はいかなる点においても限定的な名称ではない。さらに、これらのパラメータを使用する数式等は、本開示で明示的に開示したものと異なる場合もある。様々なチャネル（例えば、ＰＵＣＣＨ、ＰＤＣＣＨなど）及び情報要素は、あらゆる好適な名称によって識別できるので、これらの様々なチャネル及び情報要素に割り当てている様々な名称は、いかなる点においても限定的な名称ではない。
【００８９】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）、「送受信ポイント（transmission/reception  point）」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【００９０】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Ｒｅｍｏｔｅ  Ｒａｄｉｏ  Ｈｅａｄ）によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【００９１】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【００９２】
移動局は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、又はいくつかの他の適切な用語で呼ばれる場合もある。
【００９３】
基地局及び移動局の少なくとも一方は、送信装置、受信装置、通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Ｉｎｔｅｒｎｅｔ  ｏｆ  Ｔｈｉｎｇｓ）機器であってもよい。
【００９４】
また、本開示における基地局は、ユーザ端末で読み替えてもよい。例えば、基地局及びユーザ端末間の通信を、複数のユーザ端末間の通信（例えば、Ｄ２Ｄ（Ｄｅｖｉｃｅ−ｔｏ−Ｄｅｖｉｃｅ）、Ｖ２Ｘ（Ｖｅｈｉｃｌｅ−ｔｏ−Ｅｖｅｒｙｔｈｉｎｇ）などと呼ばれてもよい）に置き換えた構成について、本開示の各態様／実施形態を適用してもよい。この場合、上述の基地局２０が有する機能をユーザ端末２０が有する構成としてもよい。また、「上り」及び「下り」などの文言は、端末間通信に対応する文言（例えば、「サイド（ｓｉｄｅ）」）で読み替えられてもよい。例えば、上りチャネル、下りチャネルなどは、サイドチャネルで読み替えられてもよい。同様に、本開示におけるユーザ端末は、基地局で読み替えてもよい。この場合、上述のユーザ端末２０が有する機能を基地局２０が有する構成としてもよい。
【００９５】
「接続された（ｃｏｎｎｅｃｔｅｄ）」、「結合された（ｃｏｕｐｌｅｄ）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的なものであっても、論理的なものであっても、或いはこれらの組み合わせであってもよい。例えば、「接続」は「アクセス」で読み替えられてもよい。本開示で使用する場合、２つの要素は、１又はそれ以上の電線、ケーブル及びプリント電気接続の少なくとも一つを用いて、並びにいくつかの非限定的かつ非包括的な例として、無線周波数領域、マイクロ波領域及び光（可視及び不可視の両方）領域の波長を有する電磁エネルギーなどを用いて、互いに「接続」又は「結合」されると考えることができる。
【００９６】
参照信号は、ＲＳ（Ｒｅｆｅｒｅｎｃｅ  Ｓｉｇｎａｌ）と略称することもでき、適用される標準によってパイロット（Ｐｉｌｏｔ）と呼ばれてもよい。
【００９７】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９８】
本開示において、「含む（ｉｎｃｌｕｄｅ）」、「含んでいる（ｉｎｃｌｕｄｉｎｇ）」及びそれらの変形が使用されている場合、これらの用語は、用語「備える（ｃｏｍｐｒｉｓｉｎｇ）」と同様に、包括的であることが意図される。さらに、本開示において使用されている用語「又は（ｏｒ）」は、排他的論理和ではないことが意図される。
【００９９】
本開示において、例えば、英語でのａ、ａｎ及びｔｈｅのように、翻訳により冠詞が追加された場合、本開示は、これらの冠詞の後に続く名詞が複数形であることを含んでもよい。
【０１００】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０１０１】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１０２】
１０１  送信部
１０２  受信部
１０３  制御部
２０１  送信部
２０２  受信部
２０３  制御部
１００１  プロセッサ
１００２  メモリ
１００３  ストレージ
１００４  通信装置
１００５  入力装置
１００６  出力装置
【図１】
2020174549.tif 000003
【図２】
2020174549.tif 000004
【図３】
2020174549.tif 000005
【図４】
2020174549.tif 000006
【図５】
2020174549.tif 000007
【手続補正書】
【提出日】令和3年11月8日(2021.11.8)
【手続補正１】
【補正対象書類名】特許請求の範囲
【補正対象項目名】全文
【補正方法】変更
【補正の内容】
【特許請求の範囲】
【請求項１】
キャリアアグリゲーションに関するバンドコンビネーション及び前記バンドコンビネーションに含まれる少なくとも１つのコンポーネントキャリアに適用可能な最大Ｍｕｌｔｉｐｌｅ−ｉｎｐｕｔ  ａｎｄ  ｍｕｌｔｉｐｌｅ−ｏｕｔｐｕｔ（ＭＩＭＯ）レイヤ数を含む情報を基地局に送信する送信部と、
前記バンドコンビネーションに含まれる特定のコンポーネントキャリアに適用する最大ＭＩＭＯレイヤ数を示すパラメータを前記基地局から受信しない場合に、前記特定のコンポーネントキャリアに適用する最大ＭＩＭＯレイヤ数として、所定の値を適用する制御部と、
を備える端末。
【請求項２】
前記制御部は、前記所定の値として、最少のＭＩＭＯレイヤ数を設定する、
請求項１に記載の端末。
【請求項３】
前記制御部は、前記所定の値として、１レイヤを設定する、
請求項１に記載の端末。
【請求項４】
キャリアアグリゲーションに関するバンドコンビネーション及び前記バンドコンビネーションに含まれる少なくとも１つのコンポーネントキャリアに適用可能な最大Ｍｕｌｔｉｐｌｅ−ｉｎｐｕｔ  ａｎｄ  ｍｕｌｔｉｐｌｅ−ｏｕｔｐｕｔ（ＭＩＭＯ）レイヤ数を含む情報を基地局に送信するステップと、
前記バンドコンビネーションに含まれる特定のコンポーネントキャリアに適用する最大ＭＩＭＯレイヤ数を示すパラメータを前記基地局から受信しない場合に、前記特定のコンポーネントキャリアに適用する最大ＭＩＭＯレイヤ数として、所定の値を適用するステップと、
を備える端末による通信方法。
【請求項５】
基地局と、端末と、を有する無線通信システムであって、
前記基地局は、
キャリアアグリゲーションに関するバンドコンビネーション及び前記バンドコンビネーションに含まれる少なくとも１つのコンポーネントキャリアに適用可能な最大Ｍｕｌｔｉｐｌｅ−ｉｎｐｕｔ  ａｎｄ  ｍｕｌｔｉｐｌｅ−ｏｕｔｐｕｔ（ＭＩＭＯ）レイヤ数を含む情報を前記端末から受信する受信部、
を備え、
前記端末は、
前記情報を前記基地局に送信する送信部と、
前記バンドコンビネーションに含まれる特定のコンポーネントキャリアに適用する最大ＭＩＭＯレイヤ数を示すパラメータを前記基地局から受信しない場合に、前記特定のコンポーネントキャリアに適用する最大ＭＩＭＯレイヤ数として、所定の値を適用する制御部と、
を備える、
無線通信システム。
【国際調査報告】
2020174549.tif 000008
2020174549.tif 000009
2020174549.tif 000010